(57)【要約】【課題】ホルムアルデヒドキャッチャーを効率よく使用し、室内環境を無理なく、新鮮な状態に保つことができる空気清浄具を提供する。【解決手段】通気性あるシートの少なくとも片面に、ホルムアルデヒドキャッチャーを含む樹脂分を直径１〜５ｍｍのドット状に印刷した加工シートを使用する。ドット状印刷は、シートの両面に施されてもよく、シートとしては、紙又は不織布を使用するのが好ましい。なお、この加工シートは、掃除機や空気浄化装置のフィルターとして有用であるだけでなく、スリットして通気性ある袋に充填して使用することもできる。【選択図】なし【特許請求の範囲】
【請求項１】
通気性あるシートの少なくとも片面に、ホルムアルデヒドキャッチャーを含む樹脂分を直径１〜５ｍｍのドット状に印刷してなる加工シートを使用してなることを特徴とする空気清浄具。
【請求項２】
前記ドット状の印刷が、前記シートの両面に施されている請求項１の空気清浄具。
【請求項３】
前記シートが、紙又は不織布である請求項１又は２の空気清浄具。
【請求項４】
前記ドット状の印刷が、シート表面に均等に設けられており、かつシート表面の４０〜１０％を占める請求項１〜３いずれか１項の空気清浄具。
【請求項５】
前記加工シートが掃除機のフィルターとして使用される請求項１〜４いずれか１項の空気清浄具。
【請求項６】
前記加工シートが空気浄化装置のフィルターとして使用される請求項１〜４いずれか１項の空気清浄具。
【請求項７】
前記加工シートを紐状に裁断したものを、通気性ある袋に封入してなるものである請求項１〜４いずれか１項の空気清浄具。
【発明の詳細な説明】
【技術分野】
【０００１】
本発明は、ホルムアルデヒドを効率よく吸着する空気清浄具に関する。
【背景技術】
【０００２】
ホルムアルデヒドは健康を害するとして、最近、ホルムアルデヒドを放出する可能性ある製品の使用は控えられているが、それでも、知らない内に、樹脂加工した合板を使用した家具や樹脂加工仕上げした壁紙等から、微量のホルムアルデヒドが発生し、問題となることが多々ある。
そこで、ホルムアルデヒド吸着性ある物質（ホルムアルデヒドキャッチャー）を使用した製品も種々開発されている。例えば、特許文献１では、床材のクッション材にホルムアルデヒドキャッチャーを適用し、また、特許文献２及び３では、段ボールにホルムアルデヒド吸着能を付与し、そのシートをタンスの中に敷いたり、フィルターに使用することを提案している。更に特許文献４では、貫通路の内面にホルムアルデヒドキャッチャー剤をコーティングしたハニカム構造を備えた空気浄化部材を、空気浄化装置に装着することを提案している。
【特許文献１】特開２０００−３３６９１３号公報
【特許文献２】実用新案登録第３０４３６９６号公報
【特許文献３】実用新案登録第３０４３６９７号公報
【特許文献４】特開２００２−２１９３１６号公報
【０００３】
しかし、ホルムアルデヒドキャッチャーを効率よく使用するためには、強制的に室内の空気を、ホルムアルデヒドキャッチャーと接触させ、しかも絶えず新鮮な状態でホルムアルデヒドキャッチャーが機能するようにする製品は、存在しなかった。
【発明の開示】
【発明が解決しようとする課題】
【０００４】
本発明は、ホルムアルデヒドキャッチャーを従来になく効率よく使用し、室内環境を無理なく、新鮮な状態に保つことができる空気清浄具を提供することを課題とする。
【課題を解決するための手段】
【０００５】
本発明は、通気性あるシートの少なくとも片面に、ホルムアルデヒドキャッチャーを含む樹脂分を直径１〜５ｍｍのドット状に印刷した加工シートを使用することにより、上記課題を解決した。
【０００６】
このドット状の印刷は、シートの両面に施されてもよく、シートとしては、紙又は不織布を使用するのが好ましい。
【０００７】
本発明では、ホルムアルデヒドキャッチャーがドット状に存在し、しかも樹脂分の存在により、隆起したドット状となるため、その間隙を空気が通過し易く、しかも、その際空気がホルムアルデヒドキャッチャーと触れる面積も大きく、非常に効率よくホルムアルデヒドが除去される。
【０００８】
ホルムアルデヒドキャッチャーを含む樹脂液のドット状の印刷は、シート表面に均等に設け、シート表面の４０〜１０％を占めるようにするのが好ましく、特に２５〜１５％程度を占めるようにするのが効果的である。
【０００９】
なお、かかる本発明の空気清浄具は、特に電気掃除機のフィルターや空気浄化装置のフィルターとして使用するのに適しており、この場合、掃除機や空気浄化装置を使用する度に、室内の空気を強制的にホルムアルデヒドキャッチャーと接触させ、室内で発生した微量のホルムアルデヒドも非常に効率よく取り除くことができる。該フィルターは掃除機のゴミ袋に直接形成することもできるが、掃除機の吸気口や排気口に取り付けたり、ゴミ袋の中に装着するようにしてもよい。また、空気浄化装置では、通常のフィルターと同様に使用可能である。
【００１０】
ホルムアルデヒドキャッチャーは、市販のものがいずれも使用でき、それをドット状に印刷するための樹脂分としては、環境汚染のないアクリル系、酢酸ビニル系などの樹脂を使用するのが好ましい。ホルムアルデヒドキャッチャーと樹脂分の割合は特に限定されないが、固形分で１：１０〜１０：１程度でよく、１：５〜５：１程度であるのが好ましく、特に１：３〜３：１程度であるのが好ましい。
【００１１】
なお、本発明では、前記ドット状の印刷を施した加工シートを、紐状に裁断し、それらを通気性ある袋に封入して使用することもできる。例えば、幅２〜８ｍｍ、長さ１０〜９０ｃｍとしたものを絡ませて使用した場合、ホルムアルデヒドキャッチャーと空気と触れる面積が非常に大となり、ホルムアルデヒドの除去がより効率よく実施可能となる。
【発明の効果】
【００１２】
本発明の空気清浄具は、通気性あるシートに、ホルムアルデヒドキャッチャーを含む樹脂液をドット状に印刷してなる加工シートからなるため、該シートを通過する空気等の気体は、ドット状に存在するホルムアルデヒドキャッチャーに接触しながら、その間隙を効率よく通過し、その際、気体に含まれるホルムアルデヒドは、瞬時にホルムアルデヒドキャッチャーに吸着され、除去されるものとなる。ドット状の印刷を、シートの両面に設けることにより、気体のシートを通過する効率を落とすことなく、シートを通過する気体のホルムアルデヒドキャッチャーとの接触面積は増し、より効率の良いホルムアルデヒド除去を達成することが可能となる。
なお、ドット状の印刷は、シート表面に均等に設け、かつシート表面の４０〜１０％を占めるようにすることにより、気体のシート通過性を阻害することなく、通過する気体のドット状に設けられたホルムアルデヒドキャッチャーへの接触を確実なものとすることができる。
通気性あるシートとしては紙又は不織布を使用するのが好ましいが、樹脂液の浸透性のよいシートを使用することにより、印刷されたホルムアルデヒドキャッチャーは、樹脂液と共に、繊維に浸透し、シート内部にまで行き渡り、加工シートを通過する空気との接触性を高める効果がある。
また、本発明の空気清浄具をフィルターは、電気掃除機に使用されることにより、日々、強制的に室内の空気をホルムアルデヒドキャッチャーと接触させることができ、また、ホルムアルデヒドキャッチャーのホルムアルデヒド吸着効率が落ちる頃には、フィルター交換するため、非常に効率良く、室内に発生する可能性あるホルムアルデヒドを除去可能とする。
更に、ドット状の印刷を施した加工シートを紐状に裁断したものを、通気性ある袋（紙袋や網状の袋など）に封入して、タンスや各種収納庫などに入れて使用してもよく、この場合、ホルムアルデヒドキャッチャーと空気との接触面積が非常に大きくなるので、タンス等に収納した品物を常にホルムアルデヒド臭のない新鮮な状態に保持できる。
【発明を実施するための最良の形態】
【００１３】
電気掃除機のフィルター用紙に下記組成からなる塗料を、直径３ｍｍのドット状に、表面積の１／５を占めるように、均一に印刷した。
ホルムアルデヒドキャッチャー                         ２５重量％
（大塚ケムキャッチャーＨ６０００ＨＳ）
エマルジョン系バインダー                             ４０重量％
（ポリゾルＡＤ１０−厚生省告知３７０号クリア）
水                                                   ３５重量％
【００１４】
この製品を電気掃除機のゴミパックに製造したところ、その総面積は４５０ｍｍ×２０００ｍｍで、ホルムアルデヒドキャッチャーの付着量は１８〜２０ｇであった。ホルムアルデヒドキャッチャー１ｇ当たり、０．３〜０．４ｇのホルムアルデヒドを除去可能であるので、このゴミパックを使用した掃除機は、使用する度に、周囲で発生する微量のホルムアルデヒドを効率よく吸収除去することが可能であった。
【００１５】
和紙に前記塗料を、直径２ｍｍのドット状に、表面積の１／４を占めるように、均一に印刷したものを、３ｍｍ幅にスリットし、和紙の５ｃｍ角の生茶用の紙パックに充填し、ベビーダンスの引き出しに入れたところ、その引き出しの衣服には、３ヶ月間、全くホルマリン臭を感じなかった。